(57)【特許請求の範囲】
【請求項１】
音声と画像との少なくとも一方を含むコンテンツデータを再生する再生装置において、
前記コンテンツデータを再生する再生手段と、
前記再生装置と外部のデバイスとを接続する接続手段と、
前記ユーザによる前記再生装置に対する指示を受け付ける受付手段と、
前記接続手段への前記デバイスの接続の有無および前記デバイスの種類に応じて、前記再生装置内を制御する制御手段とを備え、
前記受付手段は、前記ユーザの指示の受け付けに関するメニューを表示する表示部を備え、前記表示部に前記コンテンツデータのリストを表示するとともに、前記リストから何れかの前記コンテンツデータを選択する前記指示を受け付け、
前記制御手段は、前記接続手段に接続された前記デバイスの種類に応じて、前記表示部に表示されている前記リストのうち、前記デバイスで再生不可能な前記コンテンツデータは前記ユーザによる選択ができないようにすることにより、前記受付手段により受け付け可能な前記ユーザの指示を限定するとともに、前記接続手段に接続された前記デバイスがヘッドマウントディスプレイである場合には、前記リストを前記ヘッドマウントディスプレイの表示器のみに表示し、前記再生装置の表示部には表示しない
ことを特徴とする再生装置。
【請求項２】
請求項１に記載の再生装置において、
前記制御手段は、前記接続手段に接続された前記デバイスの種類に応じて、前記受付手段により受け付けた前記ユーザの指示に基づく前記再生装置の実行可能な動作を限定する
ことを特徴とする再生装置。
【請求項３】
請求項２に記載の再生装置において、
前記接続手段に接続された前記デバイスは、画像を表示する表示手段を具備し、音声を出力する音声出力手段を具備しないデバイスであり、
前記制御手段は、前記受付手段により受け付けた前記ユーザの指示のうち、画像を含む前記コンテンツデータに関する前記ユーザの指示だけを実行可能となるように前記再生装置内を制御する
ことを特徴とする再生装置。
【請求項４】
請求項２に記載の再生装置において、
前記接続手段に接続された前記デバイスは、画像を表示する表示手段を具備せず、音声を出力する音声出力手段を具備したデバイスであり、
前記制御手段は、前記受付手段により受け付けた前記ユーザの指示のうち、音声を含む前記コンテンツデータに関する前記ユーザの指示だけを実行可能となるように前記再生装置内を制御する
ことを特徴とする再生装置。
【請求項５】
請求項２に記載の再生装置において、
画像を表示する表示手段と音声を出力する音声出力手段との少なくとも一方を備え、
前記制御手段は、前記接続手段に接続された前記デバイスに応じて、前記表示手段および前記音声出力手段を含む前記再生装置内の動作を限定する
ことを特徴とする再生装置。
【請求項６】
請求項１又は請求項２に記載の再生装置において、
前記制御手段は、前記接続手段を介して前記デバイスに出力するコンテンツデータに応じて、前記再生装置に含まれる回路うち、前記コンテンツデータを前記デバイスに出力するために必要のない少なくとも一つの回路への電源供給を中断する
ことを特徴とする再生装置。
【請求項７】
請求項１又は請求項２に記載の再生装置において、
前記制御手段は、画像を表示する表示手段又は音声を出力する音声出力手段を具備するデバイスが前記接続手段に接続されていない際には、前記再生装置に含まれる回路うち、任意のコンテンツデータを前記デバイスに出力するための回路への電源供給を中断する
ことを特徴とする再生装置。
【請求項８】
請求項１から請求項３のいずれか一項に記載の再生装置において、
前記コンテンツデータを格納する格納手段を備え、
前記制御手段は、前記接続手段に接続された前記デバイスの種類に応じて、前記デバイスが前記ユーザに対して出力不可能な信号については、前記信号と同様の入力信号を前記格納手段に記録可能となるように制御する
ことを特徴とする再生装置。
【請求項９】
請求項１に記載の再生装置において、
前記コンテンツデータを格納する格納手段を備え、
前記制御手段は、画像を表示する表示手段を具備する前記デバイスが前記接続手段に接続されていない際には、前記再生装置への入力信号を前記格納手段に記録可能となるように制御する
ことを特徴とする再生装置。
【請求項１０】
請求項１に記載の再生装置において、
前記コンテンツデータを格納する格納手段を備え、
前記制御手段は、音声を出力する音声出力手段を具備する前記デバイスが前記接続手段に接続されていない際には、前記再生装置への入力信号を前記格納手段に記録可能となるように制御する
ことを特徴とする再生装置。
【請求項１１】
請求項１又は請求項２に記載の再生装置において、
前記コンテンツデータを格納する格納手段を備え、
前記接続手段に接続された前記デバイスは、任意のコンテンツデータを前記再生装置に供給するデバイスであり、
前記制御手段は、前記デバイスから供給される前記コンテンツデータを前記格納手段に記録可能となるように制御する
ことを特徴とする再生装置。
【請求項１２】
請求項１１に記載の再生装置において、
前記接続手段は、前記デバイスに加えて、画像を表示する表示手段又は音声を出力する音声出力手段を具備する第２のデバイスに接続し、
前記制御手段は、前記格納手段に前記コンテンツデータを記録可能となるような制御を行っているときに、前記格納手段に記録可能となる前記コンテンツデータと同じ種類のコンテンツデータの再生信号を前記接続手段を介して前記第２のデバイスに出力しないように前記再生手段を制御する
ことを特徴とする再生装置。
【請求項１３】
請求項１１に記載の再生装置において、
前記接続手段は、前記デバイスに加えて、画像を表示する表示手段又は音声を出力する音声出力手段を具備する第２のデバイスに接続し、
前記制御手段は、前記格納手段に前記コンテンツデータを記録可能となるような制御を行っているときに、前記再生装置に含まれる回路うち、前記格納手段に記録可能となる前記コンテンツデータと同じ種類のコンテンツデータを前記第２のデバイスに出力するための回路への電源供給を中断する
ことを特徴とする再生装置。
【請求項１４】
請求項１１に記載の再生装置において、
前記接続手段は、前記デバイスに加えて、画像を表示する表示手段又は音声を出力する音声出力手段を具備する第２のデバイスに接続し、
前記制御手段は、前記格納手段に前記コンテンツデータを記録可能となるような制御を行っているときに、前記第２のデバイスを介して受け付けた前記ユーザの指示が実行されないように制御する
ことを特徴とする再生装置。
【請求項１５】
請求項１１に記載の再生装置において、
前記制御手段は、前記格納手段に格納された前記コンテンツデータと、前記デバイスが保持する前記コンテンツデータとを比較し、比較結果に基づいて、前記デバイスから供給される前記コンテンツデータを前記格納手段に記録可能となるように制御する
ことを特徴とする再生装置。
【請求項１６】
請求項１５に記載の再生装置において、
前記制御手段は、前記格納手段に格納されていない前記コンテンツデータのうち、前記再生手段により再生可能な前記コンテンツデータを、前記格納手段に記録可能となるように制御する
ことを特徴とする再生装置。
【請求項１７】
請求項１ないし請求項１６のいずれか一項に記載の再生装置において、
前記ユーザの頭部に装着され、前記ユーザの眼前に虚像を投影する表示手段と音声を出力する音声出力手段との少なくともいずれか一方と、
前記表示手段と前記音声出力手段との少なくとも一方を前記ユーザの頭部に装着可能な装着部とを備える
ことを特徴とする再生装置。
【請求項１８】
請求項１ないし請求項１７のいずれか一項に記載の再生装置の制御手段としてコンピュータを機能させるコンピュータプログラム。
【発明の詳細な説明】
【技術分野】
【０００１】
本発明は、ヘッドマウントディスプレイその他の着脱可能な機器を介して所望のコンテンツデータを再生する再生装置およびヘッドマウントディスプレイ装置と、その再生装置を実現するプログラムとに関する。
【背景技術】
【０００２】
最新の電子技術が適用された携帯型メディアプレーヤは、低廉化および小型化に併せて、低消費電力を実現可能であるとの理由で広く普及しつつある。近年のメディアプレーヤには、情報量の多い画像情報を記憶可能な小型の記憶媒体と、圧縮符号化技術とが組み合わせられている。これによって、多様なコンテンツデータの再生が可能となる。
また、メディアプレーヤに接続可能なデバイスとしては、ユーザのニーズに柔軟に対応するため、ヘッドホンやイヤホンだけでなく、ニアアイディスプレイ装置等のようなヘッドマウントディスプレイ（以下、「ＨＭＤ」という。）も開発されている。ＨＭＤは、ユーザの頭部に着脱可能なデバイスであり、ユーザの眼前より網膜に映像を投影することができる。ユーザは、メディアプレーヤにＨＭＤを接続し、そのＨＭＤを頭部へ装着し、さらにメディアプレーヤの操作部を操作することで、映画や音楽クリップのような画像を含むコンテンツを鑑賞することができる。
【特許文献１】特開平１０−１３３８４０号公報
【発明の開示】
【発明が解決しようとする課題】
【０００３】
ところで、この操作は、ＨＭＤやコンテンツの組み合わせに応じて行われる必要がある。しかし、メディアプレーヤは多くの機能を有し、また、そのメディアプレーヤ内の記憶媒体には多数の様々なコンテンツデータが予め格納されるので、上述した操作は煩雑となり、必ずしも適切には行われなかった。
本発明は、接続された機器（デバイス）の構成や接続時の機器（デバイス）の状態に適した設定や操作が自動的に実現され、あるいは大幅に簡略化される再生装置、ヘッドマウントディスプレイ装置およびプログラムを提供することを目的とする。
【課題を解決するための手段】
【０００４】
本発明にかかわる再生装置は、音声と画像との少なくとも一方を含むコンテンツデータを再生する再生装置において、前記コンテンツデータを再生する再生手段と、前記再生装置と外部のデバイスとを接続する接続手段と、前記接続手段への前記デバイスの接続の有無および前記デバイスの種類に応じて、前記再生装置内を制御する制御手段とを備える。
なお、好ましくは、前記ユーザによる前記再生装置に対する指示を受け付ける受付手段を備え、前記制御手段は、前記接続手段に接続された前記デバイスの種類に応じて、前記受付手段により受け付け可能な前記ユーザの指示を限定しても良い。【０００５】
また、好ましくは、前記受付手段は、前記ユーザの指示の受け付けに関するメニューを表示する表示部を備え、前記制御手段は、前記接続手段に接続された前記デバイスの種類に応じて、前記受付手段の前記表示部に表示するメニューを変更しても良い。
また、好ましくは、前記制御手段は、前記接続手段に接続された前記デバイスにより出力可能なコンテンツデータに、前記再生手段による再生の対象を限定しても良い。【０００６】
また、好ましくは、前記ユーザによる前記再生装置に対する指示を受け付ける受付手段を備え、前記制御手段は、前記接続手段に接続された前記デバイスの種類に応じて、前記受付手段により受け付けた前記ユーザの指示に基づく前記再生装置の実行可能な動作を限定しても良い。
また、好ましくは、前記接続手段に接続された前記デバイスは、画像を表示する表示手段を具備し、音声を出力する音声出力手段を具備しないデバイスであり、前記制御手段は、前記受付手段により受け付けた前記ユーザの指示のうち、画像を含む前記コンテンツデータに関する前記ユーザの指示だけを実行可能となるように前記再生装置内を制御しても良い。【０００７】
また、好ましくは、前記接続手段に接続された前記デバイスは、画像を表示する表示手段を具備せず、音声を出力する音声出力手段を具備したデバイスであり、前記制御手段は、前記受付手段により受け付けた前記ユーザの指示のうち、音声を含む前記コンテンツデータに関する前記ユーザの指示だけを実行可能となるように前記再生装置内を制御しても良い。【０００８】
また、好ましくは、画像を表示する表示手段と音声を出力する音声出力手段との少なくとも一方を備え、前記制御手段は、前記接続手段に接続された前記デバイスに応じて、前記表示手段および前記音声出力手段を含む前記再生装置内の動作を限定しても良い。
また、好ましくは、前記制御手段は、前記接続手段を介して前記デバイスに出力するコンテンツデータに応じて、前記再生装置に含まれる回路うち、前記コンテンツデータを前記デバイスに出力するために必要のない少なくとも一つの回路への電源供給を中断しても良い。【０００９】
また、好ましくは、前記制御手段は、画像を表示する表示手段又は音声を出力する音声出力手段を具備するデバイスが前記接続手段に接続されていない際には、前記再生装置に含まれる回路うち、任意のコンテンツデータを前記デバイスに出力するための回路への電源供給を中断しても良い。
また、好ましくは、前記コンテンツデータを格納する格納手段を備え、前記制御手段は、前記接続手段に接続された前記デバイスの種類に応じて、前記デバイスが前記ユーザに対して出力不可能な信号については、前記信号と同様の入力信号を前記格納手段に記録可能となるように制御しても良い。【００１０】
また、好ましくは、前記コンテンツデータを格納する格納手段を備え、前記制御手段は、画像を表示する表示手段を具備する前記デバイスが前記接続手段に接続されていない際には、前記再生装置への入力信号を前記格納手段に記録可能となるように制御しても良い。
また、好ましくは、前記コンテンツデータを格納する格納手段を備え、前記制御手段は、音声を出力する音声出力手段を具備する前記デバイスが前記接続手段に接続されていない際には、前記再生装置への入力信号を前記格納手段に記録可能となるように制御しても良い。【００１１】
また、好ましくは、前記コンテンツデータを格納する格納手段を備え、前記接続手段に接続された前記デバイスは、任意のコンテンツデータを前記再生装置に供給するデバイスであり、前記制御手段は、前記デバイスから供給される前記コンテンツデータを前記格納手段に記録可能となるように制御しても良い。
また、好ましくは、前記接続手段は、前記デバイスに加えて、画像を表示する表示手段又は音声を出力する音声出力手段を具備する第２のデバイスに接続し、前記制御手段は、前記接続手段を介して前記第２のデバイスに任意のコンテンツデータの再生信号を出力しないように前記再生手段を制御しても良い。【００１２】
また、好ましくは、前記接続手段は、前記デバイスに加えて、画像を表示する表示手段又は音声を出力する音声出力手段を具備する第２のデバイスに接続し、前記制御手段は、前記再生装置に含まれる回路うち、任意のコンテンツデータを前記第２のデバイスに出力するための回路への電源供給を中断しても良い。
また、好ましくは、前記接続手段は、前記デバイスに加えて、画像を表示する表示手段又は音声を出力する音声出力手段を具備する第２のデバイスに接続し、前記制御手段は、前記第２のデバイスを介して受け付けた前記ユーザの指示が実行されないように制御しても良い。【００１３】
また、好ましくは、前記制御手段は、前記格納手段に格納された前記コンテンツデータと、前記デバイスが保持する前記コンテンツデータとを比較し、比較結果に基づいて、前記デバイスから供給される前記コンテンツデータを前記格納手段に記録可能となるように制御しても良い。
また、好ましくは、前記制御手段は、前記格納手段に格納されていない前記コンテンツデータのうち、前記再生手段により再生可能な前記コンテンツデータを、前記格納手段に記録可能となるように制御しても良い。【００１４】
本発明にかかわる別の再生装置は、音声と画像との少なくとも一方を含むコンテンツデータを再生する再生装置において、前記コンテンツデータを再生する再生手段と、前記コンテンツデータの種類ごとにおける再生可否に応じて、前記再生装置内を制御する制御手段を備える。
なお、好ましくは、前記ユーザによる前記再生装置に対する指示を受け付ける受付手段を備え、前記制御手段は、前記再生可否に応じて、前記受付手段により受け付け可能な前記ユーザの指示を限定しても良い。【００１５】
また、好ましくは、前記受付手段は、前記ユーザの指示の受け付けに関するメニューを表示する表示部を備え、前記制御手段は、前記再生可否に応じて、前記受付手段の前記表示部に表示するメニューを変更しても良い。
また、好ましくは、前記制御手段は、再生可能な前記コンテンツデータに、前記再生手段による再生の対象を限定しても良い。【００１６】
また、好ましくは、前記ユーザによる前記再生装置に対する指示を受け付ける受付手段を備え、前記制御手段は、前記再生可否に応じて、前記受付手段により受け付けた前記ユーザの指示に基づく前記再生装置の実行可能な動作を限定しても良い。
また、好ましくは、前記制御手段は、前記再生可否に応じて、前記再生装置に含まれる回路うち、前記コンテンツデータを再生するために必要のない少なくとも一つの回路への電源供給を中断するか、又は、前記コンテンツデータを再生するために必要のない少なくとも一つの回路への電源供給を中断しても良い。【００１７】
また、好ましくは、前記コンテンツデータを格納する格納手段を備え、前記制御手段は、前記再生可否に応じて、再生不可能な前記コンテンツデータについては、そのコンテンツデータを前記格納手段に記録可能となるように制御しても良い。
また、好ましくは、前記ユーザの頭部に装着され、前記ユーザの眼前に虚像を投影する表示手段と音声を出力する音声出力手段との少なくともいずれか一方と、前記表示手段と前記音声出力手段との少なくとも一方を前記ユーザの頭部に装着可能な装着部とを備えても良い。【００１８】
また、本発明にかかわるコンピュータプログラムは、上述した各再生装置の何れかの制御手段としてコンピュータを機能させる。
【発明の効果】
【００１９】
本発明では、再生装置の状態は、その再生装置への各種機器（デバイス）の接続状況に適した状態に自動的に設定される。したがって、本発明が適用された装置やシステムでは、性能および付加価値に併せて、ユーザの利便性が高められる。
【図面の簡単な説明】
【００２０】
【図１】本発明の第一の実施形態の電気的構成を示す図である。
【図２】ターミナル１０およびＨＭＤ３０の全体構成図およびＨＭＤ３０を構成する収納ケース６５の一部断面図である。
【図３】本発明の第七の実施形態の電気的構成を示す図である。
【図４】本発明の第七の実施形態の変形例の電気的構成を示す図である。
【図５】本発明の第八の実施形態の再生装置７０と、再生装置７０に接続されたＤＶＤプレーヤー８０との全体構成図である。
【図６】本発明の第八の実施形態の再生装置７０と、再生装置７０に接続されたテレビチューナー９０との全体構成図である。
【図７】本発明の第八の実施形態の再生装置７０と、再生装置７０に接続された電子カメラ１００との全体構成図である。
【発明を実施するための最良の形態】
【００２１】
［第一の実施形態］
以下、図面に基づいて本発明の実施形態について詳細に説明する。先ず、電気的構成を説明する。
図１は、本発明の第一の実施形態の電気的構成を示す図である。図１に示すとおり、再生装置であるターミナル１０には、ＨＭＤ３０、クレードル４０などが接続される。このうち、ターミナル１０は、既述のメディアプレーヤと同様な機能を有する。なお、ＨＭＤ３０の代わりに、他のデバイスが使用されることもあるが、ここでは、ＨＭＤ３０を主として説明する。【００２２】
ターミナル１０には、接栓座１０Ｊと接栓１０Ｐとが設けられ、ＨＭＤ３０には接栓３１Ｐが設けられ、クレードル４０には接栓座４１Ｊが設けられる。ターミナル１０とＨＭＤ３０とは、接栓座１０Ｊおよび接栓３１Ｐを介して接続される。また、ターミナル１０とクレードル４０とは、接栓１０Ｐおよび接栓座４１Ｊを介して接続される。
先ず、ターミナル１０の電気的構成および各部の接続関係を説明する。【００２３】
ターミナル１０の接栓座１０Ｊのピンは、Ｐグループ、ＳグループおよびＣグループのピンから構成される。Ｐグループのピンは、ＨＭＤ３０に出力される画像信号の引き渡しに用いられ、Ｓグループのピンは、ＨＭＤ３０に出力される音声信号の引き渡しに用いられ、Ｃグループのピンは、ＨＭＤ３０が出力する制御情報の引き渡しに用いられる。なお、これらのグループの識別子「Ｐ」、「Ｓ」、「Ｃ」は、それぞれ"Picture"，"Sound"，"Control" の頭文字である。【００２４】
また、ターミナル１０の接栓１０Ｐのピンは、Ｐｉグループ、Ｓｉグループ、ＣioグループおよびＰＳｉグループのピンから構成される。Ｐｉグループのピンは、録画や再生の対象となるコンテンツに含まれる画像信号の引き渡しに用いられ、Ｓｉグループのピンは、同様のコンテンツに含まれる音声信号の引き渡しに用いられ、Ｃioグループのピンは、ターミナル１０の動作の設定や監視にかかわる制御信号の引き渡しに用いられ、ＰＳｉグループのピンは、上述した電源回路１７に供給される電力の引き渡しに用いられる。なお、これらのグループの識別子「Ｐｉ」、「Ｓｉ」、「Ｃio」、「ＰＳｉ」は、それぞれ"Picture"，"Sound"，"Control"，"Power Supply" の頭文字に該当する大文字と、ターミナル１０を基準とする上記の引き渡しの方向を示す"input"，"output"，"input/output"を意味する小文字とから構成される。【００２５】
接栓座１０Ｊのピンのうち、Ｃグループのピンは接続検出部１１の入力に接続され、その接続検出部１１の出力は制御部１２の第一の入力ポートに接続される。制御部１２の第二の入力ポートには操作部１３の出力が接続され、その制御部１２の第一の出力ポートは信号処理部１４の第一の入力ポートに接続される。これらの制御部１２および信号処理部１４のバス端子は、記憶部１５の対応するポートに接続される。なお、記憶部１５は、例えば、所定の領域管理の下でアクセスされるハードディスク装置やＩＣメモリとして構成される。信号処理部１４の第一の出力ポートは、表示部１６の第一の入力に接続される。表示部１６の第二の入力には制御部１２の第二の出力ポートが接続され、その制御部１２の第三の出力は電源回路１７の制御端子に接続される。【００２６】
また、接栓１０Ｐのピンのうち、Ｐｉグループのピンはビデオ入力処理部１８の入力に接続され、Ｓｉグループのピンは、音声入力処理部１９の入力に接続される。これらのビデオ入力処理部１８および音声入力処理部１９の出力は、信号処理部１４の第二および第三の入力ポートにそれぞれ接続される。信号処理部１４の第二の出力ポートは、ビデオ出力処理部２０を介して接栓座１０ＪのＰグループのピンに接続される。信号処理部１４の第三の出力ポートは、音声出力処理部２１を介して接栓座１０ＪのＳグループのピンに接続される。接栓１０ＰのＣioグループのピンは制御部１２の入出力ポートに接続され、その接栓１０ＰのＰＳｉグループのピンは電源回路１７の入力に接続される。【００２７】
次に、ＨＭＤ３０の電気的構成および各部の接続関係を説明する。
ＨＭＤ３０には、前述したとおり、ターミナル１０との電気的な接続を実現する接栓３１Ｐの他に、表示器３２、ヘッドホン３３Ｌ、３３Ｒ、操作部３４、およびＨＭＤを制御するＨＭＤ制御部３５等が備えられる。
表示器３２およびヘッドホン３３Ｌ、３３Ｒは、接栓３１Ｐのピンのうち、既述のＰグループおよびＳグループに対応するピンにそれぞれ接続される。ＨＭＤ制御部３５は、接栓３１Ｐおよびターミナル１０の接栓座１０Ｊの対応するピンを介して、ターミナル１０の制御部１２の特定の入出力ポートに接続される。このＨＭＤ制御部３５は、ＨＭＤ３０の各機能を制御する他に、ＨＭＤ３０が音声出力可能であるか否かや映像表示可能であるか否かをターミナル１０の制御部１２に出力する。この出力結果に応じて、制御部１２は、後で詳しく述べるようにターミナル１０を制御する。操作部３４の出力は、接栓３１Ｐのピンのうち、既述のＣグループに対応するピンの一部に接続される。【００２８】
そのＣグループの残りピン（以下、「サブＣグループのピン」という。）は、図１の右上部に拡大されて示されるように、ＨＭＤ３０の構成（種別も含む）や特性に対応した組み合わせに応じて予め接地される。なお、これらのサブＣグループのピンは、上記の接地の基準となるアース端子ＧＮＤに併せて、例えば、ターミナル１０に対する二値情報の引き渡しのために用いられる。この二値情報により、ターミナル１０は、ターミナル１０の接栓座１０Ｊに接続されたデバイス（以下、「被接続デバイス」という。）の構成を識別することが可能になる。他のデバイスとの区別のため、前記二値情報は、例えば、以下の各二値情報の何れか１つか２つの情報が出力される。
（ａ）被接続デバイスが、画像の再生信号の出力が可能で、音声出力可能なスピーカなどを持たないデバイスｈｍｄ（以下、「ヘッドマウントディスプレイ」という。）であるか否かを示す第一の二値情報。
（ｂ）被接続デバイスが、画像の再生信号と音声の再生信号との双方の出力が可能なデバイスｈｍｄ・ｈｐ（以下、「ヘッドマウントディスプレイ・ヘッドホン」という。）であるか否かを示す第二の二値情報。
（ｃ）被接続デバイスが、音声の再生信号の出力が可能で、映像出力可能な表示部などを持たないデバイスｈｐ（以下、「ヘッドホン」という。）であるか否かを示す第三の二値情報。
（ｄ）被接続デバイスが、既述の操作部３４に相当する操作部ｏｐを含んでいるか否かを示す第四の二値情報。【００２９】
因みに、ＨＭＤ３０は、ヘッドホンと表示器との双方を含むので、ヘッドマウントディスプレイ・ヘッドホン（ｂ）である。
なお、本実施形態のターミナル１０には、１つの被接続デバイス（図１ではＨＭＤ３０）が直接接続されているが、このような被接続デバイス（図１ではＨＭＤ３０）は、例えば、図１のほぼ右中央部に二点鎖線の枠で示されるリモコン５０を介して接続されても良い。また、ターミナル１０には、複数の被接続デバイスが直列に接続されても良い。また、これらの複数の被接続デバイスは、１つ又は複数の接栓座（ターミナル１０に接線座１０Ｊと共に備えられる）を介して並列に接続されても良い。【００３０】
また、上述したリモコン５０は、被接続デバイス（図１ではＨＭＤ３０）の操作部に相当する操作部５２と、ターミナル１０の接栓座１０Ｊに適合した接栓５１Ｐと、被接続デバイス（図１ではＨＭＤ３０）の接栓３１Ｐその他の被接続デバイスとの接続に適した接栓座５１Ｊとを備える。操作部５２、接栓５１Ｐ、接栓座５１Ｊは、３者間の中継を実現する布線を介して接続される。また、操作部５２の信号は上述したＣグループのピンを通じて制御部１２に入力される。また、このようなリモコン５０には、ターミナル１０の表示部１６に相当する表示器が併せて備えられても良い。【００３１】
次に、クレードル４０の電気的構成および各部の接続関係を説明する。
クレードル４０の接栓座４１Ｊは、ターミナル１０の接栓１０Ｐを介してターミナル１０との電気的な接続を実現する。その接栓座４１Ｊのピンのうち、既述のＰｉグループ、Ｓｉグループ、ＣioグループおよびＰＳｉグループに対応するピンには、ビデオ入力端子４２、音声入力端子４３、制御入出力端子４４および電源入力端子４５がそれぞれ接続される。これらの端子を介してクレードル４０は情報端末（コンピュータなど）に接続可能である。なお、ターミナル１０にクレードル４０が接続されたか否かは、ターミナル１０の接栓１０Ｐに設けられた不図示のメカニカルスイッチにより検出される。このメカニカルスイッチは、ターミナル１０にクレードル４０が接続されたときに、クレードル４０により物理的に押し込まれ、その結果、スイッチがＯＮとなる。【００３２】
次に、本実施形態の電気的構成要素の基本的な動作を説明する。ここでは、ターミナル１０の被接続デバイスがＨＭＤ３０である場合について説明する。
ターミナル１０に備えられた電源回路１７は、図示されないバッテリを有し、クレードル４０から供給される電力を、そのバッテリに蓄積する。このとき電力は、クレードル４０に備えられた電源入力端子４５、クレードル４０の接栓座４１Ｊ、ターミナル１０の接栓１０Ｐを順に介して電源回路１７へと供給される。さらに、電源回路１７は、このようにしてバッテリに蓄積された電力を、ターミナル１０の各部に駆動電力として供給し、かつＨＭＤ３０にも駆動電力を供給する。このうち、ＨＭＤ３０への駆動電力は、ターミナル１０の接栓座１０Ｊの所定のピンと、ＨＭＤ３０の接栓３１Ｐの所定のピンとを介して供給される。【００３３】
クレードル４０のビデオ入力端子４２には、情報端末から画像信号が入力される。この画像信号は、クレードル４０の接栓座４１Ｊおよびターミナル１０の接栓１０Ｐを介してターミナル１０のビデオ入力処理部１８へ入力される。ビデオ入力処理部１８は、その画像信号にＡ／Ｄ変換その他の処理を施すことによってディジタル画像情報を生成し、そのディジタル画像情報を信号処理部１４に与える。【００３４】
クレードル４０の音声入力端子４３には、情報端末から音声信号が入力される。この音声信号は、クレードル４０の接栓座４１Ｊおよびターミナル１０の接栓１０Ｐを介してターミナル１０の音声入力処理部１９へ入力される。音声入力処理部１９は、その音声信号にＡ／Ｄ変換その他の処理を施すことによってディジタル音声情報を生成し、そのディジタル音声情報を信号処理部１４に与える。【００３５】
ターミナル１０の制御部１２は、下記の指示やターミナル１０に接続されているデバイスに応じて、所定の処理を行い、かつ必要に応じて信号処理部１４に信号処理を指定する。
（ａ）ターミナル１０の操作部１３を介してユーザが与える指示。
（ｂ）クレードル４０の制御入出力端子４４を介して情報端末（パーソナルコンピュータその他）から与えられる指示。
（ｃ）ＨＭＤ３０の操作部３４がユーザによって操作されたときにＨＭＤ３０から引き渡される指示。【００３６】
なお、情報（ｃ）は、接栓３１Ｐ、接栓座１０Ｊおよび接続検出部１１を介して制御部１２へと引き渡される。
このようにして得られた指示やターミナル１０に接続されたデバイスに関する情報に基づいて制御部１２は信号処理部１４などの各部を制御する。一方、信号処理部１４は、制御部１２からの制御を受け、例えば、上記の画像情報と音声情報との双方又は何れか一方（以下、単に「コンテンツデータ」という。）がクレードル４０を介して入力された場合、ファイルとして記憶部１５に蓄積する。【００３７】
ここで、コンテンツデータの種類には、例えば、音声情報と画像情報（動画像情報）とを含む音声付き映像コンテンツデータと、音声情報のみを含む音声コンテンツデータと、画像情報（静止画像情報）のみを含む画像コンテンツデータとなどがあるが、ここでは、記憶部１５に蓄積されたコンテンツデータが、音声付き映像コンテンツデータであった場合の処理を説明する。【００３８】
ターミナル１０に接続されたデバイスがヘッドマウントディスプレイ・ヘッドホンである場合、信号処理部１４は、その記憶部１５に既に蓄積されている所望のコンテンツデータ（ここでは音声付き映像コンテンツデータ）を読み出すと、そのコンテンツデータに含まれる画像情報をビデオ出力処理部２０に引き渡し、そのコンテンツデータに含まれる音声情報を音声出力処理部２１に引き渡す。なお、記憶部１５に対する書き込みおよび読み出しの対象となる記憶領域は、信号処理部１４又は制御部１２が行う領域管理の下で定まる。【００３９】
ビデオ出力処理部２０は、上述した画像情報にＤ／Ａ変換その他の処理を施すことによって再生信号（画像のアナログ信号）を生成し、かつＨＭＤ３０に対し、このような再生信号を引き渡す。また、音声出力処理部２１は、上述した音声情報にＤ／Ａ変換その他の処理を施すことによって再生信号（音声のアナログ信号）を生成し、かつＨＭＤ３０に対し、このような再生信号を引き渡す。これらの画像および音声の再生信号の引き渡しは、ターミナル１０の接栓座１０ＪおよびＨＭＤ３０の接栓３１Ｐを介して行われる。【００４０】
ＨＭＤ３０では、表示器３２やヘッドホン３３Ｌ、３３Ｒを介してユーザに感知可能になるように、ターミナル１０から出力された再生信号を出力する。このとき、ターミナル１０から引き渡された音声の再生信号は、ヘッドホン３３Ｌ，３３Ｒへ与えられ、ターミナル１０から引き渡された画像の再生信号は、表示器３２へ与えられる。
また、ＨＭＤ３０のＨＭＤ制御部３５は、ヘッドホン３３Ｌ、３３Ｒの出力を制御する図示されていないボリュームを制御している。このボリュームの制御は、ＨＭＤ３０の操作部３４の操作内容に応じて行われる。したがって、ユーザは、ＨＭＤ３０の操作部３４を適切に操作することにより、ヘッドホン３３Ｌ，３３Ｒから発せられる音声の音量を変更することが可能である。【００４１】
また、ターミナル１０の信号処理部１４は、ターミナル１０の表示部１６と、ＨＭＤ３０の表示器３２との双方又は何れか一方に、例えば以下の情報を画像として出力することもできる。
（ａ）記憶部１５に蓄積されたコンテンツのコンテンツ情報。
（ｂ）ユーザへ通知されるべきメッセージ。【００４２】
なお、メッセージ（ｂ）は、ターミナル１０の操作部１３の操作内容や、ＨＭＤ３０の操作部３４の操作内容や、ＨＭＤ３０の表示器３２の移動の要求など、再生装置および再生装置に接続されたデバイスの操作に応じてユーザに通知されるものである。これらのメッセージデータも記憶部１５に記憶されている。
次に、本実施形態の機械的構成を説明する。ここでも、ターミナル１０の被接続デバイスがＨＭＤ３０である場合について説明する。【００４３】
図２（ａ）はターミナル１０およびＨＭＤ３０の全体構成図であり、図２（ｂ）はＨＭＤ３０を構成する収納ケース６５の一部断面図である。
図２（ａ）に示すとおり、ＨＭＤ３０において、ヘッドホン３３Ｌ、３３Ｒはヘッドホンアーム６１の両端に取り付けられる。ヘッドホンアーム６１は、弧状に成形された部材からなる。表示器３２は、ディスプレイアーム６４の一端に取り付けられる。ディスプレイアーム６４は、所定の曲率で成形されてなる。そのディスプレイアーム６４の他端は、収納ケース６５によって保持される。この収納ケース６５は、図２（ｂ）に示すとおり、ディスプレイアーム６４が収納可能な中空部６５Ｓと、その中空部６５Ｓに配置された複数の軸受からなる案内部材６５Ｇとを有する。さらに、図２（ａ）に示すとおり、収納ケース６５の側壁には、ヘッドホン３３Ｌに係合可能であってケーブル接続部６３を兼ねる支持部材６５Ａが備えられる。また、支持部材６５Ａと収納ケース６５との間には、ディスプレイアーム６４を矢印方向に回動可能な関節機構が備えられている。なお、このケーブル接続部６３は、既述の接栓３１Ｐ（図２では不図示）、ケーブル６２、接栓座１０Ｊ（図２では不図示）を介してターミナル１０に接続される。これによって、ＨＭＤ３０の表示器３２は、ターミナル１０（ターミナル１０のビデオ出力処理部２０の出力）に接続されることになる。その接続は、ディスプレイアーム６４の内部および収納ケース６５の中空部６５Ｓを介してケーブル接続部６３の内部に至る布線と、ケーブル６２の芯線のうち、既述のＰグループのピンに割り付けられた芯線とが、ケーブル接続部６３の内部で結合することによって図られる。【００４４】
また、ＨＭＤ３０のＨＭＤ制御部３５（図２では不図示）は、例えば、ケーブル接続部６３の内部に配置される。さらに、そのＨＭＤ制御部３５は、案内部材６５Ｇに沿ったディスプレイアーム６４の可動に必要な動力を与えるモータ６５Ｍと、そのディスプレイアーム６４の位置を検出するセンサ（図示されない。）とに、上述した布線を介して接続される。また、支持部材６５Ａと収納ケース６５との間に備えられた関節機構部分にも、不図示のセンサを有し、ＨＭＤ制御部３５に接続されている。【００４５】
そして、ＨＭＤ制御部３５は、センサによりディスプレイアーム６４が収納ケース６５に収納された状態（退避状態）か又は、ＨＭＤ３０の表示器３２がユーザの眼前にある状態（観察可能状態）かなどを検出し、センサからの結果と制御部１２からの指示に応じて、モータ６５Ｍを制御したり、ＨＭＤ３０の表示器３２を眼前に移動させる様に音声等のメッセージを音声出力処理部に出力したりする。【００４６】
このようなＨＭＤ制御部３５によるディスプレイアーム６４の繰り出しおよび収納のタイミングは、ＨＭＤ３０の操作部３４の操作内容により決定される。したがって、ユーザは、操作部３４を適切に操作することにより、ディスプレイアーム６４の繰り出しおよび収納を所望のタイミングで行うことができる。
次に、図１に基づき本実施形態の特徴動作を説明する。【００４７】
本実施形態の特徴は、ターミナル１０において制御部１２および信号処理部１４が行う下記の処理にある。この処理は、接続検出部１１との連係の下で行われる。
ターミナル１０では、接続検出部１１および制御部１２は、被接続デバイスの構成が下記の何れに該当するかを識別する。
（Ａ）操作部を備えないヘッドマウントディスプレイ。
（Ｂ）操作部を備えないヘッドマウントディスプレイ・ヘッドホン。
（Ｃ）操作部を備えないヘッドホン。
（Ｄ）被接続デバイスの接続は無し。
（Ａ’）操作部を備えたヘッドマウントディスプレイ。
（Ｂ’）操作部を備えたヘッドマウントディスプレイ・ヘッドホン。
（Ｃ’）操作部を備えたヘッドホン。【００４８】
因みに、被接続デバイスがＨＭＤ３０であるときには、操作部を備えたヘッドマウントディスプレイ・ヘッドホン（Ｂ’）に該当すると識別される。
この識別は、被接続デバイスの上述したサブＣグループに属するピンの状態（又はそのピンの組み合わせ）に基づいて行われる。なお、各種の被接続デバイスは、何れも接栓座１０Ｊに整合する接栓を有し、共通のピン配置に基づいて接続される。また、各種の被接続デバイスにおいて、ピンの接地は、被接続デバイスに設けられた配線パターン等により施される。【００４９】
また、被接続デバイスが操作部を備えているか否かに関しては、既述の第四の二値情報に基づき判別される。また、被接続デバイスの種別に関しては、既述の第一ないし第三の二値情報の論理値に基づいて識別される（二値情報は、被接続デバイスから接栓座１０Ｊおよび接続検出部１１を介して制御部１２へ引き渡される）。
本実施形態では、制御部１２は、被接続デバイスの操作部の有無に関係なく、次に述べる処理を行う。制御部１２は、接続検出部１１によって被接続デバイスが接続されていることを識別すると、接続検出部１１により識別された被接続デバイスに応じて、以下の各処理を行う。
〔１〕被接続デバイスがヘッドマウントディスプレイである場合（（Ａ），（Ａ’））には、制御部１２は、記憶部１５に蓄積されているコンテンツデータのうち、画像情報のみからなるコンテンツデータのみ、あるいは画像情報を含むコンテンツデータ（例えば、音声付き動画ファイル、音声付き静止画ファイル、映像のみファイルの何れ）のみを再生の対象とする。そして、上述した各コンテンツデータのみをユーザが選択できるように、ターミナル１０において再生するコンテンツデータの選択に用いるコンテンツリストに表示されるコンテンツデータを限定し、ＨＭＤ３０の表示器３２やターミナル１０の表示部１６に表示されるコンテンツリストには限定されたコンテンツデータのコンテンツリストが表示される。
〔２〕被接続デバイスがヘッドホンである場合（（Ｃ），（Ｃ’））には、制御部１２は、記憶部１５に蓄積されているコンテンツデータのうち、音声情報のみからなるコンテンツデータのみを再生の対象と限定する。そして、音声情報のみからなるコンテンツデータのみをユーザが選択できるように、上述したコンテンツリストに表示されるコンテンツデータを限定し、ＨＭＤ３０の表示器３２やターミナル１０の表示部１６に表示されるコンテンツリストには限定されたコンテンツデータのコンテンツリストが表示される。
〔３〕被接続デバイスがヘッドマウントディスプレイ・ヘッドホンである場合（（Ｂ），（Ｂ’））には、制御部１２は、記憶部１５に蓄積されているコンテンツデータのうち、画像情報と音声情報との少なくとも一方を含む全てのコンテンツデータを再生の対象とする。そして、上述した全てのコンテンツデータ（例えば、音声付き動画ファイル、音声付き静止画ファイル、映像のみファイル、音声のみファイルの何れ）をユーザが選択できるように、上述したコンテンツリストに表示されるコンテンツデータを限定し、ＨＭＤ３０の表示器３２やターミナル１０の表示部１６に表示されるコンテンツリストには限定されたコンテンツデータのコンテンツリストが表示される。【００５０】
すなわち、ターミナル１０による再生の対象となるコンテンツデータを、被接続デバイスを介して出力可能なコンテンツデータのみに自動的に選択し限定する。したがって、本実施形態によれば、被接続デバイスを介して再生できないコンテンツデータがその被接続デバイスに無用に引き渡されることが回避される。このとき、操作性が低下することはない。また、本実施形態によれば、記憶部１５の読み出しの高速化に併せて、その読み出しに際して行われる領域管理の処理の簡略化が図られ、かつユーザの利便性が向上する。【００５１】
なお、本実施形態では、上述したコンテンツリストに表示されるコンテンツデータを選択することにより、再生の対象となるコンテンツデータを限定する例を示したが、コンテンツリストには全てのコンテンツデータを表示可能とし、表示されたコンテンツデータであってもユーザが選択可能なコンテンツデータを、被接続デバイスに応じて選択されたコンテンツデータに限定しても良い。この場合、例えば、コンテンツリストに被接続デバイスによる再生が不可能なコンテンツデータが表示されても、被接続デバイスにより再生不可能なコンテンツデータについては、選択ができないようにしても良い。【００５２】
なお、被接続デバイスが接続されていない場合（（Ｄ））には、ターミナル１０において再生するコンテンツデータの選択を禁止すれば良い。例えば、上述したコンテンツリストを表示しないようにしても良いし、何れも選択できないようにプロテクトがかかったコンテンツリストを表示するようにしても良い。
［第二の実施形態］
次に、第二の実施形態について説明する。第二の実施形態では、第一の実施形態との相違点のみ説明する。第二の実施形態は、第一の実施形態と同様の電気的構成、各部の接続関係を有する。以下では、第一の実施形態と同様の符号を用いて説明する。【００５３】
本実施形態では、制御部１２および信号処理部１４は、第一の実施形態と同様に識別された被接続デバイスに応じて、ターミナル１０の稼働状態を以下のとおりに制御する。
〔１〕被接続デバイスがヘッドマウントディスプレイである場合（（Ａ），（Ａ’））には、制御部１２は、ヘッドマウントディスプレイを介して再生することが可能である画像情報をビデオ出力処理部２０に引き渡すために信号処理部１４によって行われる処理（以下、「画像再生処理」という。）と、そのビデオ出力処理部２０の動作とを可能とする。また、制御部１２は、ヘッドマウントディスプレイを介して再生することができない音声情報を音声出力処理部２１に引き渡すために信号処理部１４によって行われる処理（以下、「音声再生処理」という。）と、その音声出力処理部２１の動作とを規制する。なお、具体的な規制の一例としては、制御部１２によって当該処理部の実行を停止させる。さらに、制御部１２は、ユーザにより操作部１３を介して行われる操作のうち、被接続デバイスであるヘッドマウントディスプレイに備えられていない機能に対する操作の有無の監視を行う。そして、制御部１２は、ターミナル１０の操作部１３やヘッドマウントディスプレイの操作部の操作に応じて実行される処理が適切な処理であるかを、被接続デバイスの接続状況や被接続デバイスの実行可能な動作内容に基づき判断する。
〔２〕被接続デバイスがヘッドホンである場合（（Ｃ），（Ｃ’））には、制御部１２は、上述した「音声再生処理」と音声出力処理部２１の動作とを可能とする。また、制御部１２は、信号処理部１４によって行われる既述の「画像再生処理」と、そのビデオ出力処理部２０の動作とを規制する。さらに、制御部１２は、ユーザにより操作部１３を介して行われる操作のうち、被接続デバイスであるヘッドホンに備えられていない機能に対する操作の有無の監視および制御も〔１〕と同様に行う。
〔３〕被接続デバイスがヘッドマウントディスプレイ・ヘッドホンである場合（（Ｂ），（Ｂ’））には、制御部１２は、上述した「音声再生処理」および「画像再生処理」に併せて、音声出力処理部２１およびビデオ出力処理部２０の動作を可能とする。さらに、制御部１２は、ユーザにより操作部１３を介して行われる操作のうち、被接続デバイスであるヘッドマウントディスプレイ・ヘッドホンに備えられていない機能に対する操作の有無の監視および制御も〔１〕と同様に行う。
〔４〕被接続デバイスがコンテンツデータを再生する機能を持っていないか、又は何れのデバイスも接続されていない場合は、制御部１２は、信号処理部１４や各出力処理部の動作を停止させる。すなわち、ターミナル１０では、被接続デバイスによる再生が不可能なコンテンツデータの再生にかかわる信号処理のシーケンスとハードウエアの稼働とが自動的に規制される。したがって、本実施形態によれば、操作性が低下することなく、制御部の処理を少なくし性能の向上と消費電力の節減とが図られる。【００５４】
なお、何れの場合も、被接続デバイスが備えいていない機能に対する操作が行われた場合には、エラーメッセージを画像や音声で出力することで、誤操作によるものかどうかをユーザに意識付けすることができる。
［第三の実施形態］
次に、第三の実施形態について説明する。第三の実施形態では、第一の実施形態との相違点のみ説明する。第三の実施形態は、第一の実施形態と同様の電気的構成、各部の接続関係を有する。以下では、第一の実施形態と同様の符号を用いて説明する。【００５５】
本実施形態の特徴は、接続検出部１１によって行われる動作と、第一の実施形態と同様に識別された被接続デバイスに応じて制御部１２および信号処理部１４によって行われる処理とにある。
接続検出部１１は、第一の実施形態で説明した各二値情報のうち、「被接続デバイスが、既述の操作部３４（被接続デバイスの操作部）に相当する操作部ｏｐを含んでいるか否かを示す」第四の二値情報に応じて、被接続デバイスが操作部３４に相当する操作部ｏｐを含んでいるか否かの判別をさらに行う。【００５６】
また、制御部１２は、識別された被接続デバイスに応じて、以下の処理を行う。
〔１〕接続検出部１１によって行われた既述の判別により、被接続デバイスに操作部が含まれない場合（（Ａ），（Ｂ），（Ｃ））には、制御部１２は、その被接続デバイスがヘッドマウントディスプレイ、ヘッドホン、ヘッドマウントディスプレイ・ヘッドホンの何れであるかにかかわらず、制御部１２は信号処理部１４と連係することによって、ターミナル１０の操作部１３のみ受け付け可能な状態に制御する。また、反対に被接続デバイスに操作部が含まれる場合（（Ａ’），（Ｂ’），（Ｃ’））には、当該操作部からの操作を基にユーザによる操作が受け付けられ、短い時間の間に操作部１３への操作と被接続デバイスの操作部への操作とが行われた場合には、制御部１２は、何れか早いほうの操作だけしか受け付けられないように制御する。
〔２〕被接続デバイスがヘッドマウントディスプレイである場合（（Ａ），（Ａ’））には、制御部１２は、ターミナル１０の表示部１６を介して、ユーザに操作内容を示すメッセージ等の通知を行う。さらに、制御部１２は、被接続デバイスに応じて選択されたコンテンツデータのコンテンツリストを作成し、被接続デバイスであるヘッドマウントディスプレイの表示器３２とターミナル１０の表示部１６とを介して表示することも同時に行うか、又は、制御部１２は、強制的にターミナル１０の表示部１６への表示を停止して、消費電力の節約を行い、ヘッドマウントディスプレイの表示器３２にのみコンテンツリストを表示する。ユーザは、操作部により、コンテンツリストから所望のコンテンツデータを選択することでコンテンツデータの再生を実行する。
〔３〕被接続デバイスがヘッドホンである場合（（Ｃ），（Ｃ’））には、制御部１２はビデオ出力処理部２０への出力を停止する。さらに、制御部１２は、被接続デバイスに応じて選択されたコンテンツデータを、被接続デバイスであるヘッドホンに備えられる音声出力手段（ヘッドホンなど）やターミナル１０の表示部１６を介して案内する。この案内に応じて、ユーザは選択されたコンテンツデータの中から、所望のコンテンツデータを操作部により選択して、コンテンツデータを再生する。
〔４〕被接続デバイスがヘッドマウントディスプレイ・ヘッドホンである場合（（Ｂ），（Ｂ’））には、制御部１２は、被接続デバイスであるヘッドマウントディスプレイ・ヘッドホンの表示手段を介して、操作内容を示すメッセージ等の出力を行う。さらに、制御部１２は、被接続デバイスに応じて選択されたコンテンツデータを、被接続デバイスであるヘッドマウントディスプレイ・ヘッドホンの表示手段に表示するのと同時に、音声出力手段（ヘッドホンなど）にも音声案内を行う。その後の処理は、上記〔１〕〜〔３〕の何れかと同様である。【００５７】
すなわち、ターミナル１０と被接続デバイスの操作部との何れを介して行われる操作メニューの表示内容も、その被接続デバイスを介して実現可能な項目に限定される。したがって、本実施形態によれば、被接続デバイスの構成に柔軟に適応した操作メニューが表示されるので、ユーザの操作が簡略化され、又は信号処理部の処理量の削減が図られる。
なお、本実施形態では、上述した操作を限定するための方法は、操作部１３や被接続デバイスの操作部を介してユーザによって与えられる指示を、ターミナル１０において受け付けない方法（無効化：例えば、被接続デバイスとして接続されていないヘッドマウントディスプレイに関する操作を受け付けない処理）と、ターミナル１０の表示部１６や被接続デバイスの表示手段を介してユーザに通知される必要がない情報の省略との如何なる組み合わせにより実現されても良い。【００５８】
また、第一から第三の実施形態において、被接続デバイスに応じてコンテンツデータを選択する際には、コンテンツデータのファイル名や拡張子の種類を基に、音声コンテンツデータであるのか、画像コンテンツデータであるのか、音声付き映像コンテンツデータであるのかを識別する。そして、この識別結果に応じて、被接続デバイスに応じたコンテンツデータを、ユーザが選択可能とする制御を行っても良い。【００５９】
［第四の実施形態］
次に、第四の実施形態について説明する。第四の実施形態では、第一の実施形態との相違点のみ説明する。第四の実施形態は、第一の実施形態と同様の電気的構成、各部の接続関係を有する。以下では、第一の実施形態と同様の符号を用いて説明する。
本実施形態において、制御部１２は、第一の実施形態と同様に識別された被接続デバイスに応じて、電源回路１７と連係することによって下記の処理を行う。
〔１〕被接続デバイスがヘッドマウントディスプレイである場合（（Ａ），（Ａ’））には、制御部１２は、ビデオ出力処理部２０と、被接続デバイスであるヘッドマウントディスプレイと連係して作動する回路等とに対して駆動電力の供給をし、音声出力処理部２１に対する駆動電力の供給を停止する。
〔２〕被接続デバイスがヘッドホンである場合（（Ｃ），（Ｃ’））には、制御部１２は、ビデオ出力処理部２０に対する駆動電力の供給を停止し、音声出力処理部２１に対して駆動電力を供給する。
〔３〕被接続デバイスがヘッドマウントディスプレイ・ヘッドホンである場合（（Ｂ），（Ｂ’））には、制御部１２は、例えば、被接続デバイスであるヘッドマウントディスプレイ・ヘッドホンを介する再生が可能な画像情報と音声情報とをそれぞれヘッドマウントディスプレイ・ヘッドホンに引き渡すビデオ出力処理部２０と音声出力処理部２１とのように、被接続デバイスであるヘッドマウントディスプレイ・ヘッドホンと連係して作動する回路等に対する駆動電力を供給する。
〔４〕被接続デバイスとして、音声情報を出力可能なデバイスや画像情報を表示可能なデバイスの何れも接続されていない場合（（Ｄ））は、制御部１２は、ビデオ出力処理部２０と音声出力処理部２１の何れも駆動電力の供給を停止する。【００６０】
すなわち、ターミナル１０では、接続デバイスへの信号の出力に無用なターミナル１０内のハードウエアに対する駆動電力の供給を自動的に停止して、操作によって出現する機能を制限する。したがって、本実施形態によれば、操作性が低下することなく、消費電力の節減が図られる。
なお、本実施形態では、ビデオ入力処理部１８および音声入力処理部１９に対する駆動電力の供給は、規制されていない。しかし、これらのビデオ入力処理部１８および音声入力処理部１９は、例えば、後述する第五の実施形態に示されるように、ターミナル１０がクレードル４０に接続されている期間が制御部１２によって識別される場合には、その期間のみに駆動電力が供給されても良い。【００６１】
また、上述した第一ないし第四の実施形態では、被接続デバイスの構成に基づいて、再生の対象となるコンテンツデータの種類が制限され、又はこれらのコンテンツデータの再生にかかわる操作メニューの表示項目や稼働すべき（あるいは駆動電力が供給されるべき）回路が限定されている。また、第一ないし第四の実施形態において、操作手続が簡略化されるように被接続デバイスの操作手順が変わっても良い。しかし、被接続デバイスの接続の有無や状態（ターミナル１０に接続される前にその被接続デバイスに対して行われていた設定を含む。）や特性（性能）が接続検出部１１によって識別される場合には、これらの限定の対象は、以下に例示されるように、何れも被接続デバイスの接続の有無や状態、被接続デバイスの持つ特性（性能）に適した形態で自動的に行うことが可能である。
（１）被接続デバイスの接続の有無と被接続デバイスの状態とに応じて、再生可能なコンテンツデータに再生の対象が限定される。
（２）被接続デバイスの接続の有無と被接続デバイスの状態や特性（性能）とに応じて、再生可能なコンテンツデータにかかわる項目に操作メニューの選択可能項目が限定される。
（３）被接続デバイスの接続の有無と被接続デバイスの状態とに応じて、再生可能なコンテンツデータの再生に不要な回路に、稼働の規制や駆動電力の供給の規制の対象が限定される。
（４）被接続デバイスの再生時における表示や音響特性（性能）又はその特性（性能）で再生可能なコンテンツデータに適した特性に、ターミナル１０内のビデオ出力処理部２０、音声出力処理部２１その他の回路の諸設定が最適になるように設定される。なお、このような被接続デバイスの特性（性能）には、再生可能な音声情報の形式（例えば、モノラル、２チャンネルステレオその他のマルチチャネルステレオ）と、再生可能な画像情報の内容（例えば、走査方式、解像度、適合した表色系等々）との何れもが該当する。【００６２】
さらに、上述した第一ないし第四の実施形態では、以下の実施形態において例示するように、被接続デバイスの構成だけではなく、ターミナル１０への接続の有無や被接続デバイスの状態に基づいて、コンテンツデータとしてターミナル１０内の記憶部１５に蓄積されるファイルの形式が制限され、これらのファイルの蓄積にかかわる操作メニューの表示項目や稼働すべき（あるいは駆動電力が供給されるべき）回路が限定されても良い。例えば、被接続デバイスが表示手段を備えないデバイスである場合や、被接続デバイスが表示手段を備えたデバイスであっても表示不可能な状態であれば、音声情報と画像情報（動画像情報）とを含む音声付き映像コンテンツデータと、音声情報のみを含む音声コンテンツデータと、画像情報（静止画像情報）は、記憶部１５に蓄積可能となる。又は、同様に被接続デバイスが音声出力手段を備えないデバイスである場合や、被接続デバイスが音声出力手段を備えたデバイスであっても音声出力不可能な状態であれば、音声情報は、記憶部１５に蓄積可能となる。また、このような形態以外にも、記憶部１５に対する蓄積が可能な情報に応じて、コンテンツリストなどの選択メニューが限定されても良い。なお、情報の蓄積に不要な回路には、稼働の規制や駆動電力の供給の規制を行っても良い。【００６３】
また、情報を記憶部１５に蓄積する際には、接続される可能性の高いデバイス（被接続デバイス）の出力特性に基づいて、好ましい出力特性が得られるようにデータを修正しても良い。
［第五の実施形態］
次に、第五の実施形態について説明する。第五の実施形態では、第一の実施形態との相違点のみ説明する。第五の実施形態は、第一の実施形態と同様の電気的構成、各部の接続関係を有する。以下では、第一の実施形態と同様の符号を用いて説明する。【００６４】
本実施形態の特徴は、制御部１２によって行われる下記の処理にある。
制御部１２は、ターミナル１０がクレードル４０に接続された時点を所定の頻度で識別する。なお、このような識別には、例えば、既述のターミナル１０の接栓１０ＰにおけるＣioグループのピンが割り付けられ、かつクレードル４０がターミナル１０に接続されたか否かを示す二値情報の論理値の変化として識別される。【００６５】
また、制御部１２は、被接続デバイスの接続の有無の判別、又は被接続デバイスがＨＭＤ３０（既述のヘッドマウントディスプレイとヘッドマウントディスプレイ・ヘッドホンとの何れかである場合も同様）であるか否かの判別を行う。
また、制御部１２は、被接続デバイスによらず、音声入力処理部１９およびビデオ入力処理部１８を動作状態とする。さらに、制御部１２は、音声入力処理部１９およびビデオ入力処理部１８を介して、クレードル４０から入力される画像情報および音声情報を所定の形式のコンテンツデータ（ファイル）に変換して記憶部１５に蓄積するための「録画モード」又は「録音モード」への移行を信号処理部１４に指令する。なお、「録画モード」とは、ビデオ出力処理部２０を停止し、ビデオ入力処理部１８を介して、クレードル４０から入力される画像情報を記憶部１５に蓄積するモードである。また、「録音モード」とは、音声出力処理部２１を停止し、音声入力処理部１９を介して、クレードル４０から入力される音声情報を記憶部１５に蓄積するモードである。【００６６】
また、制御部１２は、被接続デバイスがＨＭＤ３０（あるいは、ヘッドマウントディスプレイとヘッドマウントディスプレイ・ヘッドホンとの何れかである場合も同様）である場合、ディスプレイアーム６４が収納ケース６５の中空部６５Ｓ内に収納されているかを判別し、そのディスプレイアーム６４が収納ケース６５の中空部６５Ｓ内に収納されていない場合には、以下の処理の何れを行う。
〔１〕制御部１２は、ＨＭＤ制御部３５にディスプレイアーム６４の駆動を指示する。また、制御部１２は、電源回路１７を制御することで、ディスプレイアーム６４が案内部材６５Ｇに沿って収納ケース６５の内部に自動的に収納されるために必要な動力をＨＭＤ３０に供給する。さらに、制御部１２は、ディスプレイアーム６４が収納ケース６５の内部に収納（退避）されたことを上述したセンサを介して識別すると、この動力の供給を取り止める。
〔２〕制御部１２は、信号処理部１４を介してターミナル１０の表示部１６、ＨＭＤ３０の表示器３２およびヘッドホン３３Ｌ、３３Ｒの全て又は一部を介して、ユーザに画像情報や音声情報のメッセージとして、「表示器３２が収納ケース６５の内部に収納（退避）されるべきである」ことを通知する。さらに、制御部１２は、ＨＭＤ３０の表示器３２が収納ケース６５の内部に収納（退避）されたことを上述したセンサおよびＨＭＤ制御部３５を介して識別すると、このメッセージの出力を取り止める。【００６７】
すなわち、ターミナル１０がＨＭＤ３０（既述のヘッドマウントディスプレイとヘッドマウントディスプレイ・ヘッドホンとの何れかである場合も同様）に接続された状態でクレードル４０に接続されると、ターミナル１０は自動的に録画又は録音が可能な状態となり、かつディスプレイアーム６４は収納ケース６５の内部に自動的に収納（退避）されるか、又はこのような収納（退避）にかかわる操作が自動的にユーザに促される。【００６８】
上述の〔１〕、〔２〕に述べた制御によって、ＨＭＤ３０の表示器３２による表示が不必要な場合でも、収納ケース６５にディスプレイアーム６４が収納（退避）されない状態が長時間継続することないので、ＨＭＤ３０のディスプレイアーム６４や表示器３２が破損されたり、人体その他の物体が接触して発生する故障の可能性が大幅に少なくなる。
なお、本実施形態では、例えば、ターミナル１０にＨＭＤ３０（既述のヘッドマウントディスプレイとヘッドマウントディスプレイ・ヘッドホンとの何れかである場合も同様）が接続された状態で、ターミナル１０とクレードル４０との接続が解除されたことが検出されたときには、制御部１２は、ディスプレイアーム６４を収納ケース６５から自動的に繰り出すよう制御しても良い。【００６９】
なお、本実施形態では、ターミナル１０にＨＭＤ３０（既述のヘッドマウントディスプレイとヘッドマウントディスプレイ・ヘッドホンとの何れかである場合も同様）が接続された状態で、ターミナル１０がクレードル４０に接続されたときに、自動的に「録画モード」や「録音モード」に移行している。しかし、このような「録画モード」への移行は、ユーザによってさらに何らかの操作が行われたときに行われても良い。【００７０】
また、ターミナル１０のビデオ入力処理部１８に映像信号を入力可能な端子を別途ターミナル１０に設け、ビデオ入力処理部１８で映像信号の入力の有無を検出するようにする。そして、ビデオ入力処理部１８で映像信号の入力が検出されたら、「録画モード」に移行する構成としても良い。このとき被接続デバイスが如何なるものであっても、「録画モード」に移行することで、入力された映像信号の記録ミスを人為的な操作ミスによって生じさせてしまうことを防ぐことができる。【００７１】
さらに、ビデオ出力処理部２０の停止や音声出力処理部２１の動作の停止を行うことで、ＨＭＤ３０への映像信号や音声信号送出を停止することも有効である。「録画モード」においては、制御部１２の制御により画像情報の再生信号をＨＭＤ３０へ出力しないようにしても良い。また、制御部１２の制御によりビデオ出力処理部２０への電力供給の停止を行っても良い。また、制御部１２の制御によりビデオ出力処理部２０からの信号の送出を単に停止したり、信号処理部１４からビデオ出力処理部２０への出力を停止しても良い。「録音モード」においては、制御部１２の制御により音声情報の再生信号をＨＭＤ３０へ出力しないようにしても良い。また、制御部１２の制御により音声出力処理部２１への電力供給の停止を行っても良い。また、制御部１２の制御により音声出力処理部２１からの信号の送出を単に停止したり、信号処理部１４から音声出力処理部２１への出力を停止しても良い。また、「録画モード」および「録音モード」において、ＨＭＤ３０の操作部３４を介して受け付けたユーザの指示が実行されないように制御しても良い。【００７２】
また、ターミナル１０の音声入力処理部１９にも音声信号を入力可能な端子を別途ターミナル１０に設け、音声入力処理部１９で音声信号の入力の有無を検出するようにする。そして、音声入力処理部１９で音声信号の入力が検出されたら、「録音モード」に移行する構成としても良い。
さらに、録音および録画の同時記録モードも可能にしても良く、また、信号の入力の有無を検出して記録モードに移行するのではなく、端子の接続有無を検出して「録画モード」や「録音モード」などの記録モードに移行するようにしても良い。【００７３】
さらに、本実施形態では、上述した「録画モード」や「録音モード」への移行の時点、又はその移行の後において、上述したメッセージ等の出力に供される必要がなくなった時点で、ＨＭＤ接続時のみに使用される部分、例えば、ビデオ出力処理部２０の稼働を停止したり、あるいはそのビデオ処理部２０に対する駆動電力の供給が停止されても良い。このようにすることで消費電力低減を達成できる。【００７４】
さらに、本実施形態では、ターミナル１０において、ターミナル１０がクレードル４０に接続されている期間には、被接続デバイスであるＨＭＤ３０等に関する操作の受け付けが制御部１２によって見合わされても良い。これにより、ユーザの誤操作により予期せずディスプレイアーム６４を繰り出し、事故が起きるようなことを防ぐことができる。
さらに、本実施形態では、「録画モード」や「録音モード」において稼働する音声入力処理部１９およびビデオ入力処理部１８は、ターミナル１０とクレードル４０との接続が検出されたときに、制御部１２によって自動的に動作可能に設定されている。しかし、これらの音声入力処理部１９およびビデオ入力処理部１８その他の録画や録音のみに用いられる回路に対する駆動電力の供給は、制御部１２が介在することなく、ターミナル１０に接続されたクレードル４０によって直接可能としても良い。【００７５】
また、ターミナル１０の外部からの映像信号や音声信号が、クレードル４０を経由した場合のみターミナル１０に入力可能である場合には、次のような手段を設けても良い。
クレードル４０の接続を検出する接続検出手段を接栓１０Ｐに設け、接続検出手段によりクレードル４０への接続が検出されたら、上述のようにビデオ入力処理部１８、音声入力処理部１９の電源供給を自動的に開始する。そして、接続の検出がされなくなった時点で電源供給を自動的に停止しても良い。このように各入力処理部１８、１９への電源供給が自動的に行われることで、不必要な回路での電力消費を低減できる。【００７６】
［第六の実施形態］
次に、第六の実施形態について説明する。第六の実施形態では、第一の実施形態との相違点のみ説明する。第六の実施形態は、第一の実施形態と同様の電気的構成、各部の接続関係を有する。以下では、第一の実施形態と同様の符号を用いて説明する。
本実施形態の特徴は、制御部１２によって行われる下記の処理にある。【００７７】
制御部１２は、上述した第五の実施形態において、ディスプレイアーム６４が収納ケース６５の内部に収納（退避）されたことを識別する。そして、ディスプレイアーム６４が案内部材６５Ｇに沿って収納ケース６５の内部に自動的に収納されるために必要な動力の供給と、このディスプレイアーム６４が収納ケース６５の内部に収納（退避）されるべきことを示すメッセージの出力との何れを取り止めた後には、ビデオ出力処理部２０の動作を停止するか、ビデオ出力処理部２０に対する駆動電力の供給を規制する。【００７８】
このように、ディスプレイアーム６４が収納ケース６５に収納されたことを検出することにより、表示器３２による観察が行われないと判断できる。この判断を基に、ビデオ出力処理部２０から不要な信号がＨＭＤ３０に与えられることや、不要な電力がビデオ出力処理部２０で消費されることを防ぐことができる。
なお、ディスプレイアーム６４の退避状態によって、不要な部位への電力供給を停止する以外に、ターミナル１０のビデオ出力処理部２０および音声出力処理部２１による出力信号の送出を停止したり、信号処理部１４からの出力信号の送出を停止しても良い。不要な信号の出力を停止するように、各処理部を制御することによっても消費電力が低減できる。【００７９】
［第一の実施形態ないし第六の実施形態の補足］
ところで、ターミナル１０は、クレードル４０に接続されると、被接続デバイスの構成や種別に適した「録画モード」、「録音モード」、「録画・録音モード」の何れの記録モードに自動的に移行する例を説明した。しかし、自動的に移行せず、ユーザが選択可能なモードを「録画モード」、「録音モード」、「録画・録音モード」に限定するように各部を制御しても良い。【００８０】
このような構成とすることにより、クレードル４０を介してターミナル１０の内部に録画や録音を行うためにユーザが行う操作が大幅に簡略化される。
また、上述した「録画モード」、「録音モード」、「録画・録音モード」の何れにターミナル１０を移行させる処理は、以下の何れの形態で起動されても良い。
（１）ターミナル１０に被接続デバイスが接続されず、かつ「録画モード」、「録音モード」、「録画・録音モード」の何れへのターミナル１０の移行の指示が各種操作部を介して行われたときに起動される。
（２）ＨＭＤ３０のディスプレイアーム６４が収納ケース６５の内部に収納（退避）される前に起動される。
（３）ＨＭＤ３０のディスプレイアーム６４が収納ケース６５の内部に収納（退避）されることなく起動される。
（４）ヘッドマウントディスプレイ、ヘッドホン、ヘッドマウントディスプレイ・ヘッドホンの何れも実効デバイス（被接続デバイス）としてターミナル１０に接続されていない状態で起動される。
（５）ターミナル１０がクレードル４０に接続されているか否かにかかわらず、ターミナル１０と被接続デバイスとの接続が解除されたときに起動される。
（６）ターミナル１０に被接続デバイスが接続された時点で起動される。【００８１】
なお、「録音モード」と「録画・録音モード」とにおいて、記憶部１５にコンテンツデータとして蓄積されるファイルの形式は、例えば、所定の拡張子で示されるＭＰ３形式やＭＰＥＧ２−ＡＡＣ（Advanced Audio Coding）形式などであることが望ましいが、ターミナル１０や各種被接続デバイスの構成に基づいて別途設定されても良いし、ターミナル１０や各種被接続デバイスの構成に基づいて選択されても良い。【００８２】
［第七の実施形態］
以下、図面に基づいて本発明の第七の実施形態について詳細に説明する。ここでは、第一の実施形態との主な相違点を説明する。主な相違点は、クレードル４０の構成および制御部１２の動作にあるが、この説明では、説明に関係しない部分が省略された図３を用いる。図３において、点線で示すのは、各種制御信号の経路である。【００８３】
本実施形態において、クレードル４０は、第一の実施形態と同様の各部に加えて、信号処理部４６および記憶部４７を備える。記憶部４７には、画像情報や音声情報などのコンテンツデータ（例えば、音声付き動画ファイル、音声付き静止画ファイル、映像のみファイル、音声のみファイルの何れ）が記憶可能である。
また、ターミナル１０の記憶部１５には、音声情報と画像情報（動画像情報）とを含む音声付き映像コンテンツデータＤmovieと、音声情報のみを含む音声コンテンツデータＤaudioと、画像情報（静止画像情報）のみを含む画像コンテンツデータＤphotoとが格納される。【００８４】
ターミナル１０の制御部１２は、第五の実施形態と同様に、ターミナル１０の接栓１０ＰにおけるＣioグループのピンにより、クレードル４０がターミナル１０に接続されたか否かを示す二値情報の論理値を基にして、ターミナル１０にクレードル４０が接続されたか否かを検出する。そして、ターミナル１０にクレードル１０が接続されたことを検出すると、ターミナル１０の制御部１２は、クレードル４０の記憶部４７に、ターミナル１０により再生可能なコンテンツデータが存在するか否かを判断する。この判断は、各コンテンツデータのファイル形式を参照することなどにより行う。【００８５】
そして、クレードル４０の記憶部４７に、ターミナル１０により再生可能なコンテンツデータが存在すると判断すると、制御部１２は、電源入力端子４５を介してクレードル４０に電源を供給する。そして、制御部１２は、クレードル４０の記憶部４７内のコンテンツデータのうち、ターミナル１０により再生可能なコンテンツデータをクレードル４０からターミナル１０に転送し、ターミナル１０の記憶部１５に記憶する。なお、制御部１２は、転送を実行する前にターミナル１０の記憶部１５の空き容量を確認し、転送するコンテンツデータの容量よりもターミナル１０の記憶部１５の空き容量が大きい場合にのみ転送を実行しても良い。【００８６】
すなわち、ターミナル１０にクレードル４０が接続され、さらに、クレードル４０の記憶部４７内に、ターミナル１０により再生可能なコンテンツデータが存在する場合には、そのコンテンツデータのクレードル４０からターミナル１０への転送を自動的に行う。したがって、本実施形態によれば、被接続デバイスに応じた処理を自動的に実行することができる。【００８７】
なお、ターミナル１０の制御部１２は、ターミナル１０にクレードル４０が接続されたことを検出すると、電源入力端子４５を介してクレードル４０に電源を供給し、さらに、ターミナル１０の記憶部１５内のコンテンツデータのうち、クレードル４０の記憶部４７内に存在しないコンテンツデータをターミナル１０からクレードル４０に転送し、クレードル４０の記憶部４７に記憶しても良い。この際に、制御部１２は、転送を実行する前にクレードル４０の記憶部４７の空き容量を確認し、転送するコンテンツデータの容量よりもクレードル４０の記憶部４７の空き容量が大きい場合にのみ転送を実行しても良い。【００８８】
すなわち、ターミナル１０にクレードル４０が接続された場合に、クレードル４０からターミナル１０にコンテンツデータを転送するだけでなく、ターミナル１０からクレードル４０にコンテンツデータを転送しても良い。
なお、撮像機能を備えたターミナルにも、本発明を同様に適用することができる。例えば、図４に示すように、ターミナル１０に、不図示の撮影レンズや撮像素子を有する撮像部２５を備える。撮像部２５は、制御部１２の指示にしたがって、被写体像を撮像して画像情報を生成し、信号処理部１４に出力する。【００８９】
制御部１２は、ターミナル１０に接続された被接続デバイス（本実施形態ではＨＭＤ３０およびクレードル４０）に応じて、撮像部２５により生成した画像情報を、被接続デバイスに出力する。制御部１２は、例えば、構図確認中に生成される画像（いわゆるスルー画像）の画像情報を被接続デバイスに出力し、被接続デバイスをファインダーとして使用しても良い。また、制御部１２は、撮像により生成された画像情報を、そのまま被接続デバイスに出力しても良いし、撮像により生成された後に、一旦記憶部１５に記憶された画像情報を被接続デバイスに出力しても良い。【００９０】
［第八の実施形態］
以下、図面に基づいて本発明の第八の実施形態について詳細に説明する。本実施形態では、本発明の再生装置の一例として、表示手段を備えた再生装置を例に挙げて説明する。また、本実施形態では、再生装置に接続される被接続デバイスとして、ＤＶＤプレーヤー、テレビチューナーおよび電子カメラを例に挙げて説明する。ＤＶＤプレーヤー、テレビチューナーおよび電子カメラは、再生装置に対してコンテンツデータを供給する被接続デバイスの一例である。【００９１】
図５は、本実施形態の再生装置７０と、再生装置７０に接続されたＤＶＤプレーヤー８０との全体構成図である。
本実施形態において、再生装置７０は、制御部７２、操作部７３、表示制御部７４、表示部７６、接続部７９の各部を備える。制御部７２は、再生装置７０内の各部を制御するとともに、再生装置７０に後述するＤＶＤプレーヤー８０が接続されたか否かを検出する。操作部７３は、上下左右の各ボタン（７３ａ〜７３ｄ）を備えるとともに、決定ボタンなどとして使用される中央のボタン７３ｅを備える。表示制御部７４は、表示部７６を介して再生する各種コンテンツデータを表示する際に表示解像度や画像の表示サイズなどを制御する。表示部７６は、画像を含むコンテンツを鑑賞することを目的としたディスプレイなどであり、メニュー設定などに用いられる小型の表示手段とは異なるものである。接続部７９は、後述するＤＶＤプレーヤー８０などの被接続デバイス（再生装置７０に対してコンテンツデータを供給するデバイス）と接続するための端子などを有する。なお、接続部７９は、上述した各実施形態において、ターミナル１０にクレードル４０を接続するために備えた接栓１０Ｐと兼用であっても良い。【００９２】
また、ＤＶＤプレーヤー８０は、ＤＶＤドライブ部８１、プレーヤーフラッグ８２、制御部８３、接続部８４の各部を備える。ＤＶＤドライブ部８１は、ＤＶＤのディスクを着脱可能であり、ＤＶＤ内に記憶されたコンテンツデータを、接続部８４を介して再生装置７０に供給する。プレーヤーフラッグ８２は、ＤＶＤプレーヤー８０の再生装置７０への接続状態を示すフラッグである。上述した再生装置７０の制御部７２は、このプレーヤーフラッグ８２を監視することにより、再生装置７０にＤＶＤプレーヤー８０が接続されたか否かを検出する。制御部８３は、ＤＶＤプレーヤー８０内の各部を制御する。また、接続部８４は、上述した再生装置７０などと接続するための端子などを有する。【００９３】
再生装置７０の制御部７２は、ＤＶＤプレーヤー８０のプレーヤーフラッグ８２に基づいて、再生装置７０にＤＶＤプレーヤー８０が接続されたか否かを検出する。そして、再生装置７０にＤＶＤプレーヤー８０が接続されたことを検出すると、制御部７２は、ＤＶＤプレーヤー８０に合わせて、再生装置７０内の動作を限定する。
具体的には、制御部７２は、操作部７３の操作体系を、ＤＶＤプレーヤー８０の動作に最適化する。例えば、上下の各ボタン（７３ａおよび７３ｂ）に、それぞれ「音量＋」、「音量−」に相当するユーザ指示を割り当て、左右の各ボタン（７３ｃおよび７３ｄ）に、それぞれ「前のファイルへスキップ」、「次のファイルへスキップ」に相当するユーザ指示を割り当てる。このように、ＤＶＤプレーヤー８０に合わせて、再生装置７０の操作部７３の操作体系を変更することにより、操作性を向上させることができる。また、操作におけるユーザの混乱を防ぐことができる。【００９４】
また、制御部７２は、表示制御部７４を制御して、表示解像度および画像の表示サイズをＤＶＤプレーヤー８０に合わせて最適化する。このように、ＤＶＤプレーヤー８０に合わせて、再生装置７０における表示を最適化することにより、ユーザの利便性を向上させることができる。
図６は、本実施形態の再生装置７０と、再生装置７０に接続されたテレビチューナー９０との全体構成図である。【００９５】
図６の例において、再生装置７０の制御部７２は、再生装置７０内の各部を制御するとともに、再生装置７０に後述するテレビチューナー９０が接続されたか否かを検出する。接続部７９は、後述するテレビチューナー９０（再生装置７０に対してコンテンツデータを供給するデバイス）と接続するための端子などを有する。
また、テレビチューナー９０は、チューナー部９１、チューナーフラッグ９２、制御部９３、接続部９４の各部を備える。チューナー部９１は、テレビジョン信号を受信する受信機能と、受信したテレビジョン信号を接続部９４を介して再生装置７０に供給する送信機能とを有する。チューナーフラッグ９２は、テレビチューナー９０の再生装置７０への接続状態を示すフラッグである。上述した再生装置７０の制御部７２は、このチューナーフラッグ９２を監視することにより、再生装置７０にテレビチューナー９０が接続されたか否かを検出する。制御部９３は、テレビチューナー９０内の各部を制御する。また、接続部９４は、上述した再生装置７０などと接続するための端子などを有する。【００９６】
再生装置７０の制御部７２は、テレビチューナー９０のチューナーフラッグ９２に基づいて、再生装置７０にテレビチューナー９０が接続されたか否かを検出する。そして、再生装置７０にテレビチューナー９０が接続されたことを検出すると、制御部７２は、テレビチューナー９０に合わせて、再生装置７０内の動作を限定する。
具体的には、制御部７２は、操作部７３の操作体系を、テレビチューナー９０の動作に最適化する。例えば、上下の各ボタン（７３ａおよび７３ｂ）に、それぞれ「音量＋」、「音量−」に相当するユーザ指示を割り当て、左右の各ボタン（７３ｃおよび７３ｄ）に、それぞれ「チャンネル−」、「チャンネル＋」に相当するユーザ指示を割り当てる。このように、テレビチューナー９０に合わせて、再生装置７０の操作部７３の操作体系を変更することにより、操作性を向上させることができる。また、操作におけるユーザの混乱を防ぐことができる。【００９７】
また、制御部７２は、表示制御部７４を制御して、表示解像度および画像の表示サイズをテレビチューナー９０に合わせて最適化する。このように、テレビチューナー９０に合わせて、再生装置７０における表示を最適化することにより、ユーザの利便性を向上させることができる。
図７は、本実施形態の再生装置７０と、再生装置７０に接続された電子カメラ１００との全体構成図である。【００９８】
図７の例において、再生装置７０の制御部７２は、再生装置７０内の各部を制御するとともに、再生装置７０に後述する電子カメラ１００が接続されたか否かを検出する。接続部７９は、後述する電子カメラ１００（再生装置７０に対してコンテンツデータを供給するデバイス）と接続するための端子などを有する。
また、電子カメラ１００は、撮像部１０１、記憶部１０２、カメラフラッグ１０３、制御部１０４、接続部１０５の各部を備える。撮像部１０１は、不図示の撮像素子などを備え、被写体像を撮像して画像情報を生成する。記憶部１０２は、撮像部１０１により生成した画像情報を記憶する。カメラフラッグ１０３は、電子カメラ１００の再生装置７０への接続状態を示すフラッグである。上述した再生装置７０の制御部７２は、このカメラフラッグ１０３を監視することにより、再生装置７０に電子カメラ１００が接続されたか否かを検出する。制御部１０４は、電子カメラ１００内の各部を制御する。また、接続部１０５は、上述した再生装置７０などと接続するための端子などを有する。【００９９】
再生装置７０の制御部７２は、電子カメラ１００のカメラフラッグ１０３に基づいて、再生装置７０に電子カメラ１００が接続されたか否かを検出する。そして、再生装置７０に電子カメラ１００が接続されたことを検出すると、制御部７２は、電子カメラ１００に合わせて、再生装置７０内の動作を限定する。
具体的には、制御部７２は、操作部７３の操作体系を、電子カメラ１００の動作に最適化する。例えば、上下各ボタン（７３ａおよび７３ｂ）を無効にする。さらに、左右の各ボタン（７３ｃおよび７３ｄ）に、それぞれ「ズーム−」、「ズーム＋」に相当するユーザ指示を割り当て、中央のボタン（７３ｅ）に、「レリーズ」に相当するユーザ指示を割り当てる。このように、電子カメラ１００に合わせて、再生装置７０の操作部７３の操作体系を変更することにより、操作性を向上させることができる。また、操作におけるユーザの混乱を防ぐことができる。【０１００】
また、制御部７２は、表示制御部７４を制御して、表示解像度および画像の表示サイズを電子カメラ１００に合わせて最適化する。このように、電子カメラ１００に合わせて、再生装置７０における表示を最適化することにより、ユーザの利便性を向上させることができる。
さらに、電子カメラ１００により生成された画像情報を、接続部７９を介して電子カメラ１００から再生装置７０に転送しても良い。転送される画像情報は、構図確認中に生成される画像（いわゆるスルー画像）の画像情報でも良い。この場合、再生装置７０をファインダーとして使用することができる。また、転送される画像情報は、撮像部１０１により生成された後に、一旦記憶部１０２に記憶された画像情報でも良いし、撮像部１０１により生成された後に、そのまま接続部１０５に出力された画像情報でも良い。【０１０１】
電子カメラ１００から転送された画像情報は、再生装置７０の表示制御部７４を介して、表示部７６に表示されても良い。また、再生装置７０に記憶部を備え、転送された画像情報を記憶部に記憶する構成としても良い。この場合、転送を実行する前に再生装置７０の記憶部の空き容量を確認し、転送する画像情報の容量よりも再生装置７０の記憶部の空き容量が大きい場合にのみ転送を実行しても良い。さらに、再生装置７０の記憶部から電子カメラ１００の記憶部１０２に画像情報などを転送しても良い。【０１０２】
また、電子カメラ１００が、マイクなどの音声情報取得機能を備える場合には、音声情報についても、本実施形態で説明した画像情報と同様に転送可能とすれば良い。
なお、本実施形態において、操作体系の変更および表示の最適化に際しては、初期接続時に処理内容をユーザに通知すると良い。例えば、操作体系の変更に伴い、操作部７３の各ボタンにどのような操作が割り当てられているかを示す図などの操作ガイドを、表示部７６に表示することにより、操作におけるユーザの混乱を防ぐことができる。【０１０３】
また、本実施形態では、再生装置７０に対してコンテンツデータを供給する被接続デバイスとして、ＤＶＤプレーヤー、テレビチューナーおよび電子カメラを例に挙げて説明したが、再生装置７０に対してコンテンツデータを供給可能であれば、その他のデバイスにも本発明を同様に適用することができる。例えば、携帯電話を、再生装置７０に対してコンテンツデータを供給する被接続デバイスとして、本発明を同様に実現しても良い。再生装置７０に被接続デバイスとして携帯電話が接続された場合には、再生装置７０の操作部７３の操作体系を携帯電話に最適化し、通話音量などを再生装置７０の操作部７３により調整可能にしても良い。また、携帯電話が通信により取得したＷＥＢ画像などを、再生装置７０の表示部７６に供給しても良い。さらに、再生装置７０と携帯電話との間で、画像情報や音声情報などを相互に転送しても良い。また、再生装置７０に携帯電話が接続されたことを検出した時点で、実行可能な動作の一覧などを再生装置７０の表示部７６に表示しても良い。【０１０４】
また、本実施形態では、表示手段を備えた再生装置を例に挙げて説明したが、音声出力手段を備えた再生装置にも、同様に適用することができる。また、上述した第一の実施形態ないし第七の実施形態と同様に、再生装置（ターミナル１０）にＨＭＤなどの表示手段（デバイス）を接続する場合にも、同様に適用することができる。逆に、第一の実施形態ないし第七の実施形態で説明した発明を、本実施形態のように表示手段や音声出力手段を備えた再生装置にも、同様に適用することができる。また、上述した第一の実施形態ないし第七の実施形態で説明したターミナル１０とＨＭＤ３０とが一体となった再生装置についても同様である。【０１０５】
さらに、上述した各実施形態では、被接続デバイスおよびクレードル４０とターミナル１０との接続の検出と、その被接続デバイスの構成あるいは状態との検出とは、既述の各実施形態の二値情報の論理値に基づいて行われている。しかし、このような検出は、以下の何れに基づいて実現されても良い。また、被接続デバイスおよびクレードル４０とターミナル１０との如何なる機能分散の下で実現されても良い。
（１）ターミナル１０の接栓座１０Ｊの何れのピンを介して被接続デバイスに接続される布線の電位やインピーダンス。
（２）（１）で説明した布線を介して被接続デバイスから引き渡される情報。
（３）（１）で説明した布線を介して行われる被接続デバイスとの連係の手順。
（４）クレードル４０からビデオ入力処理部１８や音声入力処理部１９に入力される画像信号や音声信号の有無あるいはレベル。
（５）ターミナル１０の接栓１０Ｐの何れのピンを介してクレードル４０に接続される布線の電位やインピーダンス。
（６）（５）で説明した布線を介してクレードル４０から引き渡される情報。
（７）（５）で説明した布線を介して行われるクレードル４０との連係の手順。【０１０６】
また、上述した各実施形態では、ターミナル１０には、１つの被接続デバイスが直接接続されている。しかし、このような被接続デバイスは、例えば、図１のほぼ右中央部に二点鎖線の枠で示されるリモコン５０を介して接続されても良い。また、ターミナル１０に直列に接続された複数の被接続デバイスであっても良い。また、これらの複数の被接続デバイスは、ターミナル１０に接線座１０Ｊと共に備えられる１つ又は複数の接栓座を介して並列に接続されても良く、例えば、ヘッドマウントディスプレイ・ヘッドホン＞ヘッドマウントディスプレイ＞ヘッドホンの順に優先的に識別され、かつヘッドマウントディスプレイとヘッドホンとは互いに排他的になるような使用制限はされない。【０１０７】
なお、上述したリモコン５０は、既述のＨＭＤ３０の操作部３４に相当する操作部５２と、ターミナル１０（接栓座１０Ｊ）に適合した接栓５１Ｐと、ＨＭＤ３０（接栓３１Ｐ）その他の被接続デバイスとの接続に適した接栓座５１Ｊを備え、これらの操作部５２、接栓５１Ｐ、接栓座５１Ｊを介する中継を実現する布線を介して接続されることによって構成される。また、このようなリモコン５０には、既述のＨＭＤ３０の表示器３２に相当する表示器が併せて備えられても良い。さらに、上述した各実施形態は、何れも任意に組み合わせられ、あるいは単独で適用されても良い。【０１０８】
また、上述した各実施形態では、被接続デバイスの構成や被接続デバイスの状態等は、個々の被接続デバイスにおいて予め接地されたピンの組み合わせとして、接栓座１０Ｊおよび接続検出部１１を介して引き渡される二値情報に基づいて制御部１２によって識別されている。しかし、このような被接続デバイスの構成や状態等は、被接続デバイス毎に別途内部に設けられたメカニカルスイッチの接点と、ターミナル１０に備えられて被接続デバイスによって電気的にあるいは機械的に断続されるメカニカルスイッチの接点との何れによって与えられても良い。【０１０９】
さらに、上述した各実施形態では、何れの被接続デバイスの構成も、ターミナル１０に接続された時点が一定に維持されている。しかし、例えば、被接続デバイスとしてターミナル１０に接続されたヘッドマウントディスプレイ・ヘッドホンやヘッドマウントディスプレイが有する表示部が着脱可能である場合には、その表示部の有無を示す情報が制御部１２に引き渡されることによって、このような被接続デバイスがヘッドホンに変更され、あるいは実質的に無くなったと識別されても良い。【０１１０】
また、本発明は、上述した実施形態に限定されるものではなく、本発明の範囲において多様な実施形態が可能であり、かつ構成装置の全て又は一部に如何なる改造が施されても良い。また、上述した各実施形態を組み合わせて実行しても良い。
また、本発明の実施形態の一例として、ターミナル１０の制御部１２で行っていた上述の機能を、クレードル４０の制御入出力端子と接続されたパーソナルコンピュータで行っていても良い。その際には、ターミナル１０の制御部１２で行っていた制御を、パーソナルコンピュータで同様に実行可能なソフトウェアをそのパーソナルコンピュータにインストールすれば良い。【０１１１】
なお、パーソナルコンピュータと接続する際は、ＵＳＢやＦｉｒｅ  ｗｉｒｅ（何れも登録商標）などのシリアルバスで接続するようにしても良い。その際、音楽データや映像データなども同一端子からやり取りすることが可能となり、もちろん、ターミナル１０の制御も同一端子からやり取りすることが可能となる。
【図１】
0005194794.tif 000002
【図２】
0005194794.tif 000003
【図３】
0005194794.tif 000004
【図４】
0005194794.tif 000005
【図５】
0005194794.tif 000006
【図６】
0005194794.tif 000007
【図７】
0005194794.tif 000008